(57)【要約】【課題】本発明は、外壁などに密着設置できるタ−ボファンを用いた空気調和機室外機の低コストとコンパクト化を実現し、熱交換器の面積拡大による空気調和器のＣＯＰの向上を目的とするものである。【解決手段】風上側から順番に、空気調和機室外機の前面グリル、Ｉ型の熱交換器と遠心送風機を配し、空気調和機の両側面から、熱交換された空気を吹き出す送風回路を形成し、且つ、横置きの圧縮機を、空気調和機の下部底面に置く構造をとり、空気調和機の背面を外壁などに密着できる構成をしたことを特徴とする空気調和機室外機を提供するものである。【選択図】  図１
2004263982.tif 000002
【特許請求の範囲】
【請求項１】
風上側から順に、空気調和機の室外機の前面グリル、Ｉ型の熱交換器と遠心送風機を配し、前記室外機の両側面から、熱交換された空気を吹き出す送風回路を形成し、且つ、横置きの圧縮機を前記室外機の下部に配したことを特徴とする空気調和機の室外機。
【請求項２】
風上側から順に、空気調和機の室外機の前面グリル、Ｕ型の熱交換器と遠心送風機を配し、前記室外機の両側面から、熱交換された空気を吹き出す送風回路を形成し、且つ、横置きの圧縮機を前記室外機の下部に配したことを特徴とする空気調和機の室外機。
【請求項３】
風上側から順に、空気調和機の室外機の前面グリル、Ｉ型の熱交換器と遠心送風機を配し、前記室外機の両側面から、熱交換された空気を吹き出す送風回路を形成し、且つ、縦置きの圧縮機を前記室外機の側面角に配したことを特徴とする空気調和機の室外機。
【請求項４】
風上側から順に、空気調和機の室外機の前面グリル、Ｌ型の熱交換器と遠心送風機を配し、前記室外機の両側面から、熱交換された空気を吹き出す送風回路を形成し、且つ、縦置きの圧縮機を前記室外機の側面角に配したことを特徴とする空気調和機の室外機。
【請求項５】
風上側から順に、空気調和機の室外機の前面グリル、Ｌ型の熱交換器とシロッコファンを配し、前記室外機の両側面から、熱交換された空気を吹き出す送風回路を形成し、且つ、縦置きの圧縮機を前記室外機の側面角に配したことを特徴とする空気調和機室外機。
【発明の詳細な説明】
【０００１】
【発明の属する分野】
本発明は、冷暖房を行うヒ−トポンプ式のセパレ−ト型空気調和機の室外機の構成に関する。
【０００２】
【従来の技術】
従来の冷暖房を行うヒ−トポンプ式のセパレ−ト型空気調和機の室外機３０の構造は、図１１に示すような構造になっていた（例えば、特許文献１参照）。即ち、室外機３０の両側面から空気を吸い込み、風上側から順番に、２分割された弓型の熱交換器３１と軸流ファン３３と室外機の前面グリルを配して送風回路を構成し、縦型の圧縮機３２を室外機背面側中央の配して構成して、室外機を外壁などに密着して設置できる構造をとっていた。
【０００３】
【特許文献１】
特開平０６−５０５６８号公報
【０００４】
【発明が解決しようとする課題】
しかしながら、上記従来の構成では、室外機のサイズが大きくなり、マンションのベランダ等に設置しにくいという問題を有していた。
【０００５】
そこで、本発明は、このような従来の課題を解決するものであり、外壁や塀などの空気調和機室外機を密着して設置できる構造をとりながらも、空気調和機のＣＯＰの向上と寸法サイズをコンパクトにすることを目的としている。
【０００６】
【課題を解決する手段】
上記課題を解決するために本発明は、風上側から順に、空気調和機室外機の前面グリル、Ｉ型の熱交換器と遠心送風機を配し、室外機の両側面から、熱交換された空気を吹き出す送風回路を形成し、且つ、横置きの圧縮機を室外機の下部に配したことを特徴とする空気調和機室外機の送風回路と構造を提供するものである。
【０００７】
上記の空気調和機室外機の構成によって、熱交換器を２分割することなく、充分に大きく面積をとれるので、空気調和器のＣＯＰを高くできて、かつ、配管などの引き回しもシンプルなので、部品点数も減り、室外機のコストダウンも図れる。
【０００８】
【発明の実施の形態】
本発明の第１の実施の形態である空気調和機の室外機は、風上側から順に、空気調和機の室外機の前面グリル、Ｉ型の熱交換器と遠心送風機を配し、前記室外機の両側面から、熱交換された空気を吹き出す送風回路を形成し、且つ、横置きの圧縮機を室外機の下部に配したことを特徴とする。
【０００９】
そして、この構成によって、熱交換器を２分割することなく、充分に大きく面積をとれるので、空気調和機のＣＯＰを高くできて、かつ、配管などの引き回しもシンプルなので、室外機のコストを安くできる。また、圧縮機を室外機の底部に配置できるので、室外機の高さを低くできる。
【００１０】
本発明の第２の実施の形態である空気調和機の室外機は、風上側から順に、空気調和機の室外機の前面グリル、Ｕ型の熱交換器と遠心送風機を配し、室外機の両側面から、熱交換された空気を吹き出す送風回路を形成し、且つ、横置きの圧縮機を室外機の下部に配したことを特徴とする。
【００１１】
そして、この構成によって、Ｕ型で熱交換器を２分割することなく、請求項１よりも充分に大きく面積をとれるので、空気調和機のＣＯＰを高くできて、かつ、配管などの引き回しもシンプルなので、室外機のコストも、従来以上に安くできる。また、圧縮機を室外機の底部に配置できるので、室外機の高さを低くできる。
【００１２】
本発明の第３の実施の形態である空気調和機の室外機は、風上側から順に、空気調和機の室外機の前面グリル、Ｉ型の熱交換器と遠心送風機を配し、空気調和機の両側面から、熱交換された空気を吹き出す送風回路を形成し、且つ、縦置きの圧縮機を室外機の側面角に配したことを特徴とする。
【００１３】
そして、この構成によって、Ｉ型で熱交換器を２分割することなく、充分に大きく面積をとれるので、空気調和機のＣＯＰを高くできて、かつ、配管などの引き回しもシンプルなので、室外機のコストも、従来以上に安くできる。さらに、圧縮機も縦型にできるので、室外機の構成部品の構造上の配置の自由度を高めることができる。
【００１４】
本発明の第４の実施の形態である空気調和機の室外機は、風上側から順に、空気調和機の室外機の前面グリル、Ｌ型の熱交換器と遠心送風機を配し、室外機の両側面から、熱交換された空気を吹き出す送風回路を形成し、且つ、縦置きの圧縮機を室外機の側面角に配したことを特徴とする。
【００１５】
そして、この構成によって、Ｌ型で熱交換器を２分割することなく、充分に大きく面積をとれるので、空気調和機のＣＯＰを高くできて、かつ、配管などの引き回しもシンプルなので、室外機のコストも、従来以上に安くできる。さらに、圧縮機も縦型にできるので、室外機の構成部品の構造上の配置の自由度を高めることができる。
【００１６】
本発明の第５の実施の形態である空気調和機の室外機は、風上側から順番に、空気調和機の室外機の前面グリル、Ｉ型の熱交換器とシロッコファンを配し、室外機の両側面から、熱交換された空気を吹き出す送風回路を形成し、且つ、縦置きの圧縮機を空気調和機の側面角に配したことを特徴とする。
【００１７】
そして、この構成によって、Ｉ型で熱交換器を２分割することなく、充分に大きく面積をとれるので、空気調和機のＣＯＰを高くできて、かつ、配管などの引き回しもシンプルなので、室外機のコストも、従来以上に安くできる。さらに、圧縮機も縦型にできるので、室外機の構成部品の構造上の配置の自由度を高めることができる。さらに、送風機をシロッコファンとすることで、遠心送風機以上に、騒音当たりの風量を増加させることができる。
【００１８】
【実施例】
以下に、本発明の実施例について図面を参照して説明する。
【００１９】
（実施例１）
第１図は、本発明の空気調和機室外機の断面図であり、第２図は、本発明の空気調和機室外機のＡ−Ａ断面図である。
【００２０】
風上側から順番に、空気調和機室外機１の前面グリル６、Ｉ型の熱交換器３と遠心送風機２を配する。遠心送風機２は、モ−タ４により駆動される。空気調和機室外機１の両側面５から、熱交換された空気を吹き出す送風回路を形成し、且つ、横置きの圧縮機８を、空気調和機室外機８の下部底面に置く構造をとり、空気調和機室外機１の背面を外壁９などに密着できる構成をする。電装部７は、室外機１の上部に配置する。
【００２１】
そして、この構成によって、熱交換器３を２分割することなく、充分に大きく面積をとれるので、空気調和機のＣＯＰを高くできて、かつ、配管などの引き回しもシンプルなので、室外機１の製造コストを安くできる。圧縮機８を室外機１の下部に配置することで、室外機１の幅を小さくできる。
【００２２】
（実施例２）
第３図は、本発明の空気調和機室外機の断面図であり、第４図は、本発明の空気調和機室外機のＡ−Ａ断面図である。
【００２３】
風上側から順番に、空気調和機室外機１の前面グリル６、Ｕ型の熱交換器３ａと遠心送風機２を配し、空気調和機室外機１の両側面５から、熱交換された空気を吹き出す送風回路を形成し、且つ、横置きの圧縮機８を、空気調和機室外機１の下部底面に置く構造をとり、空気調和機室外機１の背面を外壁９などに密着できる構成とする。電装部７は、空気調和機室外機１の上部に配置する。
【００２４】
そして、この構成によって、Ｕ型で熱交換器３ａを２分割することなく、更に実施例１よりも充分に大きく面積をとれるので、空気調和機のＣＯＰを高くできて、かつ、配管などの引き回しもシンプルなので、空気調和機室外機１のコストも、従来以上に安くできる。圧縮機８を室外機１の下部に配置することで、室外機１の幅を小さくできる。
【００２５】
（実施例３）
第５図は、本発明の空気調和機室外機の断面図であり、第６図は、本発明の空気調和機室外機のＡ−Ａ断面図である。
【００２６】
風上側から順番に、空気調和機室外機１の前面グリル６、Ｉ型の熱交換器３と遠心送風機２を配し、空気調和機室外機１の両側面５から、熱交換された空気を吹き出す送風回路を形成し、且つ、縦置きの圧縮機８ａを、空気調和機室外機１の側面角に置く構造をとり、空気調和機室外機１の背面を外壁９などに密着できる構成する。
【００２７】
そして、この構成によって、Ｉ型で熱交換器３を２分割することなく、充分に大きく面積をとれるので、空気調和機のＣＯＰを高くできて、かつ、配管などの引き回しもシンプルなので、室外機１のコストも、従来以上に安くできる。さらに、圧縮機８ａも縦型にできるので、室外機１の構成部品の構造上の配置の自由度を高めることができる。また、圧縮機８ａを室外機１のサイドに置けるので、室外機１の高さを小さくできる。
【００２８】
（実施例４）
第７図は、本発明の空気調和機室外機の断面図であり、第８図は、本発明の空気調和機室外機のＡ−Ａ断面図である。
【００２９】
風上側から順番に、空気調和機室外機１の前面グリル６、Ｌ型の熱交換器３ｂと遠心送風機２を配し、空気調和機室外機１の両側面５から、熱交換された空気を吹き出す送風回路を形成し、且つ、縦置きの圧縮機８ａを、空気調和機室外機１の側面角に置く構造をとり、空気調和機室外機１の背面を外壁９などに密着できる構成をとる。
【００３０】
そして、この構成によって、Ｌ型で熱交換器３ｂを２分割することなく、充分に大きく面積をとれるので、空気調和機のＣＯＰを高くできて、かつ、配管などの引き回しもシンプルなので、室外機のコストも、従来以上に安くできる。さらに、圧縮機８ａも縦型にできるので、室外機１の構成部品の構造上の配置の自由度を高めることができる。また、Ｌ型の熱交換器３ｂは、Ｉ型の熱交換器３よりも、面積が大きいので、空気調和機のＣＯＰを高くすることができる。更に、圧縮機８ａを室外機１のサイドに配置できるので、室外機１の幅を小さくできる。
【００３１】
（実施例５）
第９図は、本発明の空気調和機室外機の断面図であり、第１０図は、本発明の空気調和機室外機のＡ−Ａ断面図である。
【００３２】
風上側から順番に、空気調和機室外機１の前面グリル６、Ｉ型の熱交換器３とシロッコファン１１を配し、空気調和機室外機１の両側面５から、熱交換された空気を吹き出す送風回路を形成し、且つ、縦置きの圧縮機８ａを、空気調和機室外機１の側面角に置く構造をとり、空気調和機室外機１の背面を外壁９などに密着できる構成をとる。
【００３３】
そして、この構成によって、Ｉ型で熱交換器３を２分割することなく、充分に大きく面積をとれるので、空気調和機のＣＯＰを高くできて、かつ、配管などの引き回しもシンプルなので、室外機１のコストも、従来以上に安くできる。さらに、圧縮機８ａも縦型にできるので、室外機１の構成部品の構造上の配置の自由度を高めることができる。さらに、送風機をシロッコファン１１とすることで、遠心送風機以上に、騒音当たりの風量を増加させることができる。さらに、圧縮機８ａを室外機１のサイドに配置できるので、室外機１の幅を小さくできる。
【００３４】
【発明の効果】
従って、上記実施例から明らかなように、熱交換器を２分割することなく、充分に大きく面積をとれるので、空気調和機のＣＯＰを高くできて、かつ、配管などの引き回しもシンプルなので、室外機のコストを安くできる。また、圧縮機を室外機の底部に配置できるので、室外機の高さを低くできる。
【図面の簡単な説明】
【図１】本発明の第一の実施例の空気調和機室外機の横断面図
【図２】本発明の第一の実施例の空気調和機室外機のＡ−Ａ断面図
【図３】本発明の第二の実施例の空気調和機室外機の横断面図
【図４】本発明の第二の実施例の空気調和機室外機のＡ−Ａ断面図
【図５】本発明の第三の実施例の空気調和機室外機の横断面図
【図６】本発明の第三の実施例の空気調和機室外機のＡ−Ａ断面図
【図７】本発明の第４の実施例の空気調和機室外機の横断面図
【図８】本発明の第４の実施例の空気調和機室外機のＡ−Ａ断面図
【図９】本発明の第５の実施例の空気調和機室外機の横断面図
【図１０】本発明の第５の実施例の空気調和機室外機のＡ−Ａ断面図
【図１１】従来の実施例の空気調和機室外機の横断面図
【符号の説明】
１  空気調和機室外機
２  遠心送風機
３  Ｉ型熱交換器
３ａ  Ｕ型熱交換器
３ｂ  Ｌ型熱交換器
４  モ−タ
５  室外機の側面吹き出し口
６  室外機の全面グリル
７  電装部
８  横型圧縮機
８ａ  縦型圧縮機
【図１】
2004263982.tif 000003
【図２】
2004263982.tif 000004
【図３】
2004263982.tif 000005
【図４】
2004263982.tif 000006
【図５】
2004263982.tif 000007
【図６】
2004263982.tif 000008
【図７】
2004263982.tif 000009
【図８】
2004263982.tif 000010
【図９】
2004263982.tif 000011
【図１０】
2004263982.tif 000012
【図１１】
2004263982.tif 000013